(57)【特許請求の範囲】
【請求項１】
一若しくは複数の記録媒体を格納し、当該記録媒体に記録された、コンテンツデータに係る著作権データを読み出すデータ読取装置と、
前記著作権データを前記データ読取装置から受信して記憶するデータ処理装置と、
コンテンツデータの配信要求に応答して当該配信要求されたコンテンツデータを配信するコンテンツ配信サーバと、
からなるデータ処理システムであって、
前記データ処理装置は、
当該データ処理装置に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求手段と、
前記コンテンツデータ再生要求信号が出力されたデータ読取装置が読み取り動作中か否かを判別する判別手段と、
前記判別手段によって、前記コンテンツデータ再生要求信号が出力された前記データ読取装置が読み取り動作中であると判別された場合、前記出力要求されたコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、を備え、
前記コンテンツ配信サーバは、
前記コンテンツ配信要求手段により前記コンテンツ配信要求信号と前記著作権データとを受信した場合に、当該受信した著作権データを解析してコンテンツデータ配信の可否を判定し、配信可能と判定した場合に当該コンテンツデータを、この配信要求を出力したデータ処理装置に送信することを特徴とするデータ処理システム。
【請求項２】
前記データ処理装置は、前記出力要求が読取動作中の記録媒体以外の記録媒体への記録指示である場合に前記コンテンツ出力手段から出力されたコンテンツデータを読取動作中の記録媒体以外の記録媒体に記録するための記録手段を備えたことを特徴とする請求項１に記載のデータ処理システム。
【請求項３】
前記データ処理装置と通信可能に接続される子機を更に備え、
前記コンテンツ出力手段は、前記出力要求が前記子機に対する出力指示である場合、前記コンテンツ出力手段から出力されたコンテンツデータを前記子機に送信するよう出力制御することを特徴とする請求項１に記載のデータ処理システム。
【請求項４】
前記データ処理装置は音声出力スピーカ及び／又は映像表示装置を更に備え、
前記コンテンツ出力手段は、前記出力要求が前記データ処理装置における再生出力指示である場合、前記コンテンツ出力手段から出力されたコンテンツデータを前記音声出力スピーカ及び／又は前記映像表示装置に出力するよう制御することを特徴とする請求項１に記載のデータ処理システム。
【請求項５】
前記記録手段は、前記コンテンツ出力手段から出力されたコンテンツデータを前記データ処理装置に内蔵されたＨＤＤ（Hard Disk Drive）に記録することを特徴とする請求項２に記載のデータ処理システム。
【請求項６】
前記データ読取装置に格納された記録媒体の排出に対応して、前記データ処理装置に記憶された著作権データを削除する著作権データ削除手段を備えたことを特徴とする請求項１〜５のいずれか一項に記載のデータ処理システム。
【請求項７】
前記データ読取装置は前記データ処理装置に内蔵されたものであることを特徴とする請求項１〜６のいずれか一項に記載のデータ処理システム。
【請求項８】
一若しくは複数の記録媒体を格納し、当該記録媒体に記録された、コンテンツデータに係る著作権データを読み出すデータ読取装置と制御可能に接続されると共に、コンテンツデータの配信要求と著作権データとを受信した場合に当該著作権データを解析して配信可能と判定したコンテンツデータを配信するコンテンツ配信サーバとネットワークを介して接続可能なデータ処理装置であって、
前記著作権データを前記データ読取装置から受信して記憶する著作権データ記憶手段と、
前記データ処理装置に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求手段と、
前記コンテンツデータ再生要求信号が出力されたデータ読取装置が読み取り動作中か否かを判別する判別手段と、
前記判別手段によって、前記コンテンツデータ再生要求信号が出力された前記データ読取装置が読み取り動作中であると判別された場合、前記出力要求されたコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、
を備えたことを特徴とするデータ処理装置。
【請求項９】
一若しくは複数の記録媒体を格納し、当該記録媒体に記録された、コンテンツデータ及び当該コンテンツデータに係る著作権データを読み出すデータ読取装置と、
前記著作権データを前記データ読取装置から受信して記憶するデータ処理装置と、
前記データ処理装置に接続され、前記記録媒体に記録されたコンテンツデータの再生を該データ処理装置に指示する子機と、
コンテンツデータの配信要求に応答して当該配信要求されたコンテンツデータを配信するコンテンツ配信サーバと、
からなるデータ処理システムであって、
前記データ処理装置は、
当該データ処理装置若しくは前記子機に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求手段と、
前記コンテンツデータ再生要求信号が出力されたデータ読取装置が読み取り動作中か否かを判別する判別手段と、
前記判別手段によって、前記コンテンツデータ再生要求信号が出力された前記データ読取装置が読み取り動作中であると判別された場合、前記出力要求されたコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、を備え、
前記コンテンツ配信サーバは、
前記コンテンツ配信要求手段により前記コンテンツ配信要求信号と前記著作権データとを受信した場合に、当該受信した著作権データを解析してコンテンツデータ配信の可否を判定し、配信可能と判定した場合に当該コンテンツデータを、この配信要求を出力したデータ処理装置に送信することを特徴とするデータ処理システム。
【請求項１０】
前記コンテンツ出力手段は、前記出力要求が前記子機からのものである場合、前記コンテンツ出力手段から出力されたコンテンツデータを前記子機に送信するよう出力制御することを特徴とする請求項９に記載のデータ処理システム。
【請求項１１】
前記データ処理装置は音声出力スピーカ及び／又は映像表示装置を更に備え、
前記コンテンツ出力手段は、前記出力要求が前記データ処理装置からのものである場合、前記コンテンツ出力手段から出力されたコンテンツデータを前記音声出力スピーカ及び／又は前記映像表示装置に出力するよう制御することを特徴とする請求項９に記載のデータ処理システム。
【請求項１２】
前記データ読取装置に格納された記録媒体の排出に対応して、前記データ処理装置に記憶された著作権データを削除する著作権データ削除手段を備えたことを特徴とする請求項９〜１１のいずれか一項に記載のデータ処理システム。
【請求項１３】
前記データ読取装置は前記データ処理装置に内蔵されたものであることを特徴とする請求項９〜１２のいずれか一項に記載のデータ処理システム。
【請求項１４】
一若しくは複数の記録媒体を格納し、当該記録媒体に記録された、コンテンツデータ及び当該コンテンツデータに係る著作権データを読み出すデータ読取装置と制御可能に接続されて、前記コンテンツデータ及び前記著作権データを該データ読取装置から受信し、
コンテンツデータの配信要求と著作権データとを受信した場合に当該著作権データを解析して配信可能と判定したコンテンツデータを配信するコンテンツ配信サーバにネットワークを介して接続されて、当該コンテンツデータを該コンテンツ配信サーバから受信し、
前記記録媒体に記録されたコンテンツデータの再生を指示するための子機に接続されて、当該再生指示されるコンテンツデータの出力要求を該子機から受信するデータ処理装置であって、
前記著作権データを前記データ読取装置から受信して記憶する著作権データ記憶手段と、
当該データ処理装置若しくは前記子機に入力された、前記記録媒体に記録されたコンテンツデータの出力要求に応答して、当該出力要求したコンテンツデータの再生を指示するコンテンツデータ再生要求信号を前記データ読取装置に出力するコンテンツデータ再生要求手段と、
前記コンテンツデータ再生要求信号が出力されたデータ読取装置が、読み取り動作中か否かを判別する判別手段と、
前記判別手段によって、前記コンテンツデータ再生要求信号が出力された前記データ読取装置が読み取り動作中であると判別された場合、当該再生要求したコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、
を備えたことを特徴とするデータ処理装置。
【請求項１５】
一若しくは複数の記録媒体を格納し、当該記録媒体に記録された、コンテンツデータに係る著作権データを読み出すデータ読取装置と制御可能に接続されると共に、コンテンツデータの配信要求と著作権データとを受信した場合に当該著作権データを解析して配信可能と判定したコンテンツデータを配信するコンテンツ配信サーバとネットワークを介して接続可能なデータ処理装置の制御方法であって、
前記著作権データを前記データ読取装置から受信して記憶する著作権データ記憶ステップと、
前記データ処理装置に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求ステップと、
前記コンテンツデータ再生要求信号が出力されたデータ読取装置が読み取り動作中か否かを判別する判別ステップと、
前記判別ステップで、前記コンテンツデータ再生要求信号が出力された前記データ読取装置が読み取り動作中であると判別された場合、前記出力要求したコンテンツデータの配信を要求するコンテンツ配信要求信号と、当該コンテンツデータに係る著作権データとを前記コンテンツ配信サーバに送信するコンテンツ配信要求ステップと、
前記コンテンツ配信サーバから受信したコンテンツデータを、当該コンテンツデータの出力要求に対応して出力するよう制御するコンテンツ出力ステップと、
を備えたことを特徴とするデータ処理装置の制御方法。
【請求項１６】
一若しくは複数の記録媒体を格納し、当該記録媒体に記録された、コンテンツデータ及び当該コンテンツデータに係る著作権データを読み出すデータ読取装置と制御可能に接続されて、前記コンテンツデータ及び前記著作権データを受信し、
コンテンツデータの配信要求と著作権データとを受信した場合に当該著作権データを解析して配信可能と判定したコンテンツデータを配信するコンテンツ配信サーバにネットワークを介して接続されて、前記コンテンツデータを受信し、
前記記録媒体に記録されたコンテンツデータの再生を指示するための子機に接続されて、当該再生指示したコンテンツデータの出力要求を受信するデータ処理装置の制御方法であって、
前記著作権データを前記データ読取装置から受信して記憶する著作権データ記憶ステップと、
当該データ処理装置若しくは前記子機に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求ステップと、
前記コンテンツデータ再生要求信号が出力されたデータ読取装置が、読み取り動作中か否かを判別する判別ステップと、
前記判別ステップで、前記コンテンツデータ再生要求信号が出力された前記データ読取装置が読み取り動作中であると判別された場合、当該再生要求したコンテンツデータの配信を要求するコンテンツ配信要求信号と、当該コンテンツデータに係る著作権データとを前記コンテンツ配信サーバに送信するコンテンツ配信要求ステップと、
前記コンテンツ配信サーバから受信したコンテンツデータを、当該コンテンツデータの出力要求に対応して出力するよう制御するコンテンツ出力ステップと、
を含むことを特徴とするデータ処理装置の制御方法。
【発明の詳細な説明】
【技術分野】
【０００１】
本発明は、データ読取装置に格納された記録媒体のコンテンツデータに対応するデータを処理するためのデータ処理システム、データ処理装置及びデータ処理装置の制御方法に関する。
【背景技術】
【０００２】
従来、画像（以下、静止画像やビデオ（動画像）を含む。）や音声を表す様々なデータ形式のコンテンツデータが、様々な形態で配布されている。
【０００３】
例えば、画像を表すコンテンツデータのデータ形式としては、ＭＰＥＧ１（Moving Picture Experts Group 1）、ＭＰＥＧ２、ＪＰＥＧ（Joint Photographic Experts Group；静止画像の圧縮フォーマット。）、ＭＰＥＧ４等があり、音声を表すコンテンツデータのデータ形式としては、ＰＣＭ（Pluse Code Modulation）、ＡＣ３（Audio Code Number 3）（登録商標）、ＭＰ３（MPEG1 audio layer 3）、ＷＭＡ（Windows Media（登録商標） Audio）等がある。
【０００４】
また、コンテンツデータの配布形態としては、例えば、記録媒体や、通信による配布形態がある。このような記録媒体は、ＣＤ（Compact Disc）、ＤＶＤ（Digital Versatile Disc）、ＨＤＤ（Hard Disc Drive）、メモリ媒体（例えば、メモリースティック（登録商標）、ＳＤカード、マルチメディアカード。）等であり、通信については、ＵＳＢ等の有線伝送媒体や、無線ＬＡＮ（Local Area Network）等の無線伝送媒体を介して、ＵＳＢ（Universal Serial Bus）、ＴＣＰ／ＩＰ（Transmission Control Protocol/Internet Protocol）等のインターネットプロトコル、ＩＥＥＥ８０２．１１ｂ（無線ＬＡＮプロトコル。）等の伝送形式に基づいて行われるものがある。
【０００５】
また、このような様々なデータ形式に応じてコンテンツデータを処理するデータ処理装置も種々考案されている（例えば、特許文献１参照。）。
【０００６】
特に最近では、ＤＶＤやＣＤ等のディスクを格納可能かつデータ読み取り可能なディスクチェンジャ等の複数のデータ読取装置と、当該複数のデータ読取装置を統括的に制御してコンテンツデータを読み出す（或いは、読み出して再生する）データ処理装置と、当該データ処理装置を介して読み出したコンテンツデータを再生する子機とを備えたデータ処理システムが開発されつつある。
【０００７】
データ処理装置は、例えば建物のリビング等のメインルームに備え付けられ、ユーザはリビングにて音楽や映画を楽しむことができる。また、子機はリビング以外のサブルーム（例えば、ゲストルームや子供部屋等。）に設置され、ユーザはリビングにいなくても所望する音楽や映画を楽しむことができる。
【特許文献１】特開平１０−１４５７８０号公報
【発明の開示】
【発明が解決しようとする課題】
【０００８】
しかし、上記した従来のデータ処理システムには以下のような問題点がある。
つまり、データ読取装置に記録媒体が正規に格納されていても、他のコンテンツデータが現在再生中である等の理由により、再生要求されたンテンツデータが再生できない、若しくは、再生時に行われる一連の機械的動作等の理由により再生出力を得るまでに非常に時間が掛かってしまう、という問題があった。
【０００９】
本発明の課題は、入力されたコンテンツデータの再生要求に迅速に応じることができるようにすることである。
【課題を解決するための手段】
【００１０】
請求項１に記載の発明は、
一若しくは複数の記録媒体を格納し、当該記録媒体に記録された、コンテンツデータに係る著作権データを読み出すデータ読取装置と、
前記著作権データを前記データ読取装置から受信して記憶するデータ処理装置と、
コンテンツデータの配信要求に応答して当該配信要求されたコンテンツデータを配信するコンテンツ配信サーバと、
からなるデータ処理システムであって、
前記データ処理装置は、
当該データ処理装置に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求手段と、
前記コンテンツデータ再生要求信号が出力されたデータ読取装置が読み取り動作中か否かを判別する判別手段と、
前記判別手段によって、前記コンテンツデータ再生要求信号が出力された前記データ読取装置が読み取り動作中であると判別された場合、前記出力要求されたコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、を備え、
前記コンテンツ配信サーバは、
前記コンテンツ配信要求手段により前記コンテンツ配信要求信号と前記著作権データとを受信した場合に、当該受信した著作権データを解析してコンテンツデータ配信の可否を判定し、配信可能と判定した場合に当該コンテンツデータを、この配信要求を出力したデータ処理装置に送信することを特徴とする。
【００１１】
請求項８に記載の発明は、
一若しくは複数の記録媒体を格納し、当該記録媒体に記録された、コンテンツデータに係る著作権データを読み出すデータ読取装置と制御可能に接続されると共に、コンテンツデータの配信要求と著作権データとを受信した場合に当該著作権データを解析して配信可能と判定したコンテンツデータを配信するコンテンツ配信サーバとネットワークを介して接続可能なデータ処理装置であって、
前記著作権データを前記データ読取装置から受信して記憶する著作権データ記憶手段と、
前記データ処理装置に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求手段と、
前記コンテンツデータ再生要求信号が出力されたデータ読取装置が読み取り動作中か否かを判別する判別手段と、
前記判別手段によって、前記コンテンツデータ再生要求信号が出力された前記データ読取装置が読み取り動作中であると判別された場合、前記出力要求されたコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、
を備えたことを特徴とする。
【００１２】
請求項９に記載の発明は、
一若しくは複数の記録媒体を格納し、当該記録媒体に記録された、コンテンツデータ及び当該コンテンツデータに係る著作権データを読み出すデータ読取装置と、
前記著作権データを前記データ読取装置から受信して記憶するデータ処理装置と、
前記データ処理装置に接続され、前記記録媒体に記録されたコンテンツデータの再生を該データ処理装置に指示する子機と、
コンテンツデータの配信要求に応答して当該配信要求されたコンテンツデータを配信するコンテンツ配信サーバと、
からなるデータ処理システムであって、
前記データ処理装置は、
当該データ処理装置若しくは前記子機に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求手段と、
前記コンテンツデータ再生要求信号が出力されたデータ読取装置が読み取り動作中か否かを判別する判別手段と、
前記判別手段によって、前記コンテンツデータ再生要求信号が出力された前記データ読取装置が読み取り動作中であると判別された場合、前記出力要求されたコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、を備え、
前記コンテンツ配信サーバは、
前記コンテンツ配信要求手段により前記コンテンツ配信要求信号と前記著作権データとを受信した場合に、当該受信した著作権データを解析してコンテンツデータ配信の可否を判定し、配信可能と判定した場合に当該コンテンツデータを、この配信要求を出力したデータ処理装置に送信することを特徴とする。
【００１３】
請求項１４に記載の発明は、
一若しくは複数の記録媒体を格納し、当該記録媒体に記録された、コンテンツデータ及び当該コンテンツデータに係る著作権データを読み出すデータ読取装置と制御可能に接続されて、前記コンテンツデータ及び前記著作権データを該データ読取装置から受信し、
コンテンツデータの配信要求と著作権データとを受信した場合に当該著作権データを解析して配信可能と判定したコンテンツデータを配信するコンテンツ配信サーバにネットワークを介して接続されて、当該コンテンツデータを該コンテンツ配信サーバから受信し、
前記記録媒体に記録されたコンテンツデータの再生を指示するための子機に接続されて、当該再生指示されるコンテンツデータの出力要求を該子機から受信するデータ処理装置であって、
前記著作権データを前記データ読取装置から受信して記憶する著作権データ記憶手段と、
当該データ処理装置若しくは前記子機に入力された、前記記録媒体に記録されたコンテンツデータの出力要求に応答して、当該出力要求したコンテンツデータの再生を指示するコンテンツデータ再生要求信号を前記データ読取装置に出力するコンテンツデータ再生要求手段と、
前記コンテンツデータ再生要求信号が出力されたデータ読取装置が、読み取り動作中か否かを判別する判別手段と、
前記判別手段によって、前記コンテンツデータ再生要求信号が出力された前記データ読取装置が読み取り動作中であると判別された場合、当該再生要求したコンテンツデータの配信を要求するコンテンツ配信要求信号と、当該コンテンツデータに係る著作権データとを前記コンテンツ配信サーバに送信するコンテンツ配信要求手段と、
前記コンテンツ配信サーバから受信したコンテンツデータを、当該コンテンツデータの出力要求に対応して出力するよう制御するコンテンツ出力手段と、
を備えたことを特徴とする。
【００１４】
請求項１５に記載の発明は、
一若しくは複数の記録媒体を格納し、当該記録媒体に記録された、コンテンツデータに係る著作権データを読み出すデータ読取装置と制御可能に接続されると共に、コンテンツデータの配信要求と著作権データとを受信した場合に当該著作権データを解析して配信可能と判定したコンテンツデータを配信するコンテンツ配信サーバとネットワークを介して接続可能なデータ処理装置の制御方法であって、
前記著作権データを前記データ読取装置から受信して記憶する著作権データ記憶ステップと、
前記データ処理装置に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求ステップと、
前記コンテンツデータ再生要求信号が出力されたデータ読取装置が読み取り動作中か否かを判別する判別ステップと、
前記判別ステップで、前記コンテンツデータ再生要求信号が出力された前記データ読取装置が読み取り動作中であると判別された場合、前記出力要求したコンテンツデータの配信を要求するコンテンツ配信要求信号と、当該コンテンツデータに係る著作権データとを前記コンテンツ配信サーバに送信するコンテンツ配信要求ステップと、
前記コンテンツ配信サーバから受信したコンテンツデータを、当該コンテンツデータの出力要求に対応して出力するよう制御するコンテンツ出力ステップと、
を備えたことを特徴とする。
【００１５】
請求項１６に記載の発明は、
一若しくは複数の記録媒体を格納し、当該記録媒体に記録された、コンテンツデータ及び当該コンテンツデータに係る著作権データを読み出すデータ読取装置と制御可能に接続されて、前記コンテンツデータ及び前記著作権データを受信し、
コンテンツデータの配信要求と著作権データとを受信した場合に当該著作権データを解析して配信可能と判定したコンテンツデータを配信するコンテンツ配信サーバにネットワークを介して接続されて、前記コンテンツデータを受信し、
前記記録媒体に記録されたコンテンツデータの再生を指示するための子機に接続されて、当該再生指示したコンテンツデータの出力要求を受信するデータ処理装置の制御方法であって、
前記著作権データを前記データ読取装置から受信して記憶する著作権データ記憶ステップと、
当該データ処理装置若しくは前記子機に入力された、前記記録媒体に記録されたコンテンツデータの出力要求に応答して、当該出力要求されたコンテンツデータの再生を指示するコンテンツデータ再生要求信号を前記データ読取装置に出力するコンテンツデータ再生要求ステップと、
前記コンテンツデータ再生要求信号が出力されたデータ読取装置が、読み取り動作中か否かを判別する判別ステップと、
前記判別ステップで、前記コンテンツデータ再生要求信号が出力された前記データ読取装置が読み取り動作中であると判別された場合、当該再生要求したコンテンツデータの配信を要求するコンテンツ配信要求信号と、当該コンテンツデータに係る著作権データとを前記コンテンツ配信サーバに送信するコンテンツ配信要求ステップと、
前記コンテンツ配信サーバから受信したコンテンツデータを、当該コンテンツデータの出力要求に対応して出力するよう制御するコンテンツ出力ステップと、
を含むことを特徴とする。
【発明を実施するための最良の形態】
【００１６】
＜第１の実施の形態＞
以下、図面を参照して本発明を適用した第１の実施の形態について詳細に説明する。ここで、請求項９〜１４のうち何れかの請求項に記載のコンテンツデータ再生要求手段、判別手段、コンテンツ配信要求手段、コンテンツ出力手段、記録手段の各機能は、何れも、以下に説明するマイクロコンピュータ２０ａが有する機能に対応し、著作権データ記憶手段は、ＨＤＤ２０ｄに対応している。
【００１７】
まず、図１を参照してデータ処理システム１の構成について説明する。データ処理システム１は、データ読取装置１０−１、１０−２、１０−３、データ処理装置２０、コンテンツ配信サーバ３０を備える。
【００１８】
データ読取装置１０−１、１０−２、１０−３、データ処理装置２０は、例えばユーザの自宅の居間等のメインルームに、接続線２（例えば、ＲＳ−２３２ＣやＩＥＥＥ１３９４等に基づくデータ伝送を行う。）を介して直列接続されて設置されている。
【００１９】
データ読取装置１０−１、１０−２、１０−３にはそれぞれ機器ＩＤが設定されている。データ読取装置１０−１、１０−２、１０−３は、データ処理装置２０から送信される各種制御データが自機に対するものであるか否かを、この制御データに含まれる機器ＩＤを示すデータを参照して判定する。
【００２０】
データ処理装置２０は、自機に対する各種指示、若しくは子機４０−１、４０−２（後述する）等から送信される各種指示に応じて、データ読取装置１０−１、１０−２、１０−３を制御したり、コンテンツ配信サーバ３０にアクセスしてデータの送受信を行う。
【００２１】
子機４０−１、４０−２は、例えば子供部屋やベッドルーム等のサブルームに例えば一台ずつ設置され、それぞれ、接続線３（例えば、自宅の電話回線（いわゆるＨｏｍｅＰＮＡ（Ｈｏｍｅ Ｐｈｏｎｅｌｉｎｅ Ｎｅｔｗｏｒｋｉｎｇ Ａｌｌｉａｎｃｅ））やＬＡＮ回線等。）を介してデータ処理装置２０に接続されている。子機４０−１、４０−２は、データ読取装置１０−１、１０−２、１０−３、データ処理装置２０の動作を制御するための信号をデータ処理装置２０に送信可能となっている。
【００２２】
コンテンツ配信サーバ３０は、コンテンツ提供業者（レコード会社や映画会社等。）が使用する建物内に設置され、ネットワーク（例えば、インターネット等。）を介してデータ処理装置２０に接続できるようになっている。
【００２３】
コンテンツ配信サーバ３０は、コンテンツデータの配信要求が当該コンテンツデータに係る著作権データとともにネットワークを介して送信された場合、当該著作権データを解析してコンテンツデータ配信の可否を判定し、配信可能と判定した場合には、このコンテンツデータを当該配信要求元に配信する。
【００２４】
次に、データ読取装置１０−１、１０−２、１０−３、データ処理装置２０、子機４０−１、４０−２の各々について詳細説明する。
【００２５】
まず、図２〜図４を参照してデータ読取装置１０−１について説明する。
データ読取装置１０−２、１０−３については、データ読取装置１０−１と同じ構成であるため、以下、簡略化のため図示及び説明を省略する。
【００２６】
ここで、データ読取装置１０−１は、例えば４００枚のディスク（ＣＤやＤＶＤ等。）を格納することができるものとするが、格納可能なディスク枚数は４００枚に限らない。また、データ読取装置１０−１に格納される各ディスクには、ＴＯＣ（Table Of Contents）情報、ディスクコード（ディスク製造元、カタログ番号、コンテンツ配信サーバ３０のアドレス等の情報。）、ディスクタイトル、トラックタイトル等のテキストデータ（以下、ディスク関連データという。）に加え、音声や画像等のコンテンツデータや各コンテンツデータに係る著作権データ等が記録されている。尚、ディスクに記録される情報は上記のもののうち一部であっても構わないし、またこれら以外が記録されていても良い。
以下、コンテンツ配信サーバ３０により生産若しくは認定された正規のディスクがデータ読取装置１０−１等に格納されているものとする。
【００２７】
データ読取装置１０−１は、例えば、ロータリートレイ１０１にディスクが格納された際や、データ処理装置２０がリセットされた際等に、ロータリートレイ１０１に格納されているディスクのコンテンツデータに係る著作権データやディスク関連データを予め読み取ってデータ処理装置２０に送信する。また、データ読取装置１０−１は、データ処理装置２０から指定されたディスクのコンテンツデータを読み取ってデータ処理装置２０に送信する。
なお、著作権データは、上記のＴＯＣ、ディスクコード、テキストデータのうちの何れか一つ又は組み合わせであってもよい。
【００２８】
また、データ読取装置１０−１は、ディスクから読み取ったコンテンツデータを、デコード処理せずにデータ処理装置２０に送信する。これにより、送信速度が向上するが、データ読取装置１０−１は、読み取ったコンテンツデータを、自機でデコードした後にデータ処理装置２０に送信することも可能である。
【００２９】
データ読取装置１０−１のディスク収納部の概略構成を図２に示す。
図２に示すように、ディスク収納部には、ロータリートレイ１０１、ロータリートレイ制御モータ１０２、ディスクアーム１０３、センサ支持板１０４、第１センサ１０４ａ、第２センサ１０４ｂ、第３センサ１０４ｃ、ディスク有無検出センサ１０４ｄ等が基板１０５上に設置され、図中符号Ａ１〜Ａ６に示す信号ラインは、図４に示すマイクロコンピュータ１０６及びその周辺回路に接続されている。
【００３０】
ロータリートレイ１０１は、その中心から動径方向に伸びる４００個のスロット（slot）を備えると共に、これらスロット上にディスクを立脚させることによってディスクを保持して格納するものであり、基板１０５の略中央部に設置される。また、ロータリートレイ１０１は、ロータリートレイ制御モータ１０２が供給する動力によって回転動作を行う。
【００３１】
ロータリートレイ制御モータ１０２は、図中符号Ａ６に示す信号ラインを介してロータリートレイ制御モータドライバ１１０から出力される制御信号に応じてロータリートレイ１０１を駆動し、ロータリートレイ１０１に正確な回転動作を行わせる。
【００３２】
ディスクアーム１０３は、図中符号Ａ５に示す信号ラインを介してディスクアーム制御モータドライバ１１１から送信される制御信号に応じて動作する。すなわち、上記制御信号に応じて、ディスクアーム１０３に対向するディスク搬送位置にあるスロット上のディスクを１枚引き出し、このディスクを図示しない再生装置にセットし、その再生後、再び元のスロットに格納する。
【００３３】
次に、第１センサ１０４ａ、第２センサ１０４ｂ、第３センサ１０４ｃ、ディスク有無検出センサ１０４ｄについて説明する。
【００３４】
第１センサ１０４ａ、第２センサ１０４ｂは基板１０５上にあり、かつ、ロータリートレイ１０１の下部に設置される。これらは、個々のスロット（ディスクの各格納場所）を検出すると共に、ロータリートレイ１０１の回転方向の検出を行う。
【００３５】
第１センサ１０４ａ、第２センサ１０４ｂは、ロータリートレイ１０１の回転中心軸から放射状に伸びる２つの異なる動径上にそれぞれ位置し、更に、ロータリートレイ１０１の回転中心からの距離がそれぞれ異なるように設置される。また、第１センサ１０４ａ、第２センサ１０４ｂの設置位置は、ロータリートレイ１０１の回転動作によって、第１センサ１０４ａから出力される信号ＰＨ１と、第２センサ１０４ｂから出力される信号ＰＨ２とが、互いに１／４周期ずれて発生するような位置に設置されている（図３参照）。
【００３６】
第１センサ１０４ａは、図中符号Ａ１に示す信号ラインを介してロータリートレイ１０１の回転動作による信号ＰＨ１をマイクロコンピュータ１０６に出力し、第２センサ１０４ｂも、図中符号Ａ２に示す信号ラインを介してロータリートレイ１０１の回転動作による信号ＰＨ２をマイクロコンピュータ１０６に出力する。
【００３７】
第３センサ１０４ｃは、基板１０５上に設置され、ロータリートレイ１０１の位置を特定する際に用いる信号ＰＨ３を出力する。第３センサ１０４ｃは、ロータリートレイ１０１の回転動作によって信号ＰＨ３を発生させ、図中符号Ａ３に示す信号ラインを介してこの信号ＰＨ３をマイクロコンピュータ１０６に出力する。
【００３８】
ロータリートレイ１０１には信号ＰＨ３が“Ｌｏｗ”となる複数の区間が円周方向に設けられており、これら各区間内に形成されたスロットの数は互いに全て異なる（例えば、図３（ａ）に示す信号ＰＨ３の“Ｌｏｗ”区間は、スロット３つ分の区間に対応している。）。
【００３９】
ディスク有無検出センサ１０４ｄは、ロータリートレイ１０１の上部に設置されたセンサ支持板１０４に設置され、スロット上のディスクの有無を検出する。ディスク有無検出センサ１０４ｄは、図中符号Ａ４に示す信号ラインを介してスロット上のディスクの有無を示す検出信号をマイクロコンピュータ１０６に出力する。
【００４０】
ここで、図３（ａ）、（ｂ）を参照してロータリートレイ１０１の位置及び回転方向の特定、ロータリートレイ１０１のスロット上のディスク有無の特定（何れも、マイクロコンピュータ１０６によって行われる。）について詳細に説明する。
【００４１】
図３（ａ）は、第１センサ１０４ａ、第２センサ１０４ｂ、第３センサ１０４ｃが各々出力する信号ＰＨ１、ＰＨ２、ＰＨ３のタイミングチャートであり、図３（ｂ）は、第１センサ１０４ａ、第２センサ１０４ｂが各々出力する信号ＰＨ１、ＰＨ２と、ディスク有無検出センサ１０４ｄが出力するディスク有無検出信号のタイミングチャートである。
図中符号Ｃ１〜Ｃ５は、マイクロコンピュータ１０６がスロットを一つずつカウントするカウントタイミングを示す。このカウントタイミングは、信号ＰＨ１、ＰＨ２が共に“Ｌｏｗ”となる場合にのみ生じるものであり、それ以外の場合には、カウントタイミングは生じない。
なお、図中符号Ｃ１〜Ｃ５に示すカウントタイミングは、実際の動作時に生じる複数のカウントタイミングの一部を例示したものである。
【００４２】
ロータリートレイ１０１の位置の特定：
信号ＰＨ３の“Ｌｏｗ”区間内に包含される上記カウントタイミングの数（スロットの数）が計数されることにより、ロータリートレイ１０１の位置が特定可能となる。
【００４３】
ロータリートレイ１０１の回転方向の特定：
信号ＰＨ１、ＰＨ２の位相は互いに１／４周期ずれており、ロータリートレイ１０１の回転方向が逆転すれば、この位相も逆転して図３（ａ）の信号ＰＨ１と信号ＰＨ２の信号が入れ替わる。すなわち、信号ＰＨ１、ＰＨ２の位相からロータリートレイ１０１の回転方向が特定される。
例えば、信号ＰＨ１、ＰＨ２が共に“Ｌｏｗ”のカウントタイミングの後、信号ＰＨ１が“Ｈｉｇｈ”に切り替わると、ロータリートレイ１０１の回転方向は右回転である特定され、信号ＰＨ２が“Ｈｉｇｈ”に切り替わると、ロータリートレイ１０１の回転方向は左回転であると特定される。
【００４４】
ディスクの有無の特定：
図３（ｂ）に示すように、ディスク有無検出センサ１０４ｄは、“Ｈｉｇｈ”信号を標準値として出力する。ロータリートレイ１０１の回転動作による上記カウントタイミングの発生時、このカウントタイミングに対応するスロットにディスクが格納されていれば、ディスク有無検出センサ１０４ｄは、上記標準値を継続して出力し、マイクロコンピュータ１０６はＲＡＭにこのデータを記憶する。
それに対し、ロータリートレイ１０１の回転動作による上記カウントタイミングの発生時、このカウントタイミングに対応するスロットにディスクが格納されていなければ、ディスク有無検出センサ１０４ｄは“Ｌｏｗ”信号１パルス分を出力し、マイクロコンピュータ１０６はＲＡＭにこのデータを記憶する。
【００４５】
次に、図４を参照して、データ読取装置１０−１の制御系の構成について詳細に説明する。
【００４６】
図４に示すように、データ読取装置１０は、マイクロコンピュータ１０６、ＲＡＭ１０６ａ、入力部１０７、表示部１０８、交換口開閉制御モータドライバ１０９、ロータリートレイ制御モータドライバ１１０、ディスクアーム制御モータドライバ１１１、ＤＳＰ１１２、ピックアップユニット１１３、ロード／アンロードＳＷ１１４、及び、交換口開閉制御モータ１１５、通信制御部１１６等を備え、入力部１０７、表示部１０８、ピックアップユニット１１３、ロード／アンロードＳＷ１１４、及び、交換口開閉制御モータ１１５を除く各部は、複数のバスによって相互に接続される。
【００４７】
マイクロコンピュータ１０６は、図示しないＣＰＵ（Central Processing Unit）やＲＯＭ（Read Only Memory）、ＲＡＭ（Random Access Memory）を備え、データ読取装置１０−１を統括的に制御する。当該ＲＯＭには、データ読取装置１０−１を制御するための主制御プログラムや、このプログラムに係る各種アプリケーションプログラムが格納され、当該ＲＡＭには、これら各種プログラムの実行ファイルやその実行に際して生じる各種データ等が一時的に格納される。
【００４８】
マイクロコンピュータ１０６は、図中符号Ａ１〜Ａ４に示す信号ラインを介して第１センサ１０４ａ、第２センサ１０４ｂ、第３センサ１０４ｃ、ディスク有無検出センサ１０４ｄの出力信号を受信し、当該受信した信号に基づいてロータリートレイ１０１の動作を制御するための各種位置データを算出してＲＡＭに記憶する。
【００４９】
マイクロコンピュータ１０６は、入力部１０７を介して入力される各種操作信号に応じて、交換口１００の開閉動作、ロータリートレイ１０１の回転動作、ディスクアーム１０３の動作、或いはディスクがセットされた再生装置（図示略）が行う再生処理等を制御する。
【００５０】
マイクロコンピュータ１０６は、上記したように、第１センサ１０４ａ、第２センサ１０４ｂ、第３センサ１０４ｃ、ディスク有無検出センサ１０４ｄの各出力信号に基づいて、ロータリートレイ１０１の位置や回転方向およびディスク有無等を特定する。
【００５１】
マイクロコンピュータ１０６は、データ処理装置２０から接続線２を介して送信される各種指示に応じて、データ読取装置１０−１の再生等を制御する。データ処理装置２０から受信した再生指示信号が自機に対するものである場合には、再生指示信号に示されるスロットに対応するディスクを再生する。再生されたコンテンツデータは、接続線２を介してデータ処理装置２０に送信される。
【００５２】
入力部１０７は、データ読取装置１０の操作に係る各種操作キーや操作ダイアル等（図示せず。）を具備する。そして、これら操作キーや操作ダイアルが操作されると、当該操作信号はマイクロコンピュータ１０６に入力される。
【００５３】
表示部１０８は、ＬＣＤ（Liquid Crystａl Displａy）等の表示装置１０ｂを有する。この表示部１０８は、マイクロコンピュータ１０６から送信される各種表示データを表示装置１０ｂに表示する。例えば、再生中ディスクのトラック番号や、再生中ディスクのＴＯＣデータ、或いはデータ読取装置１０の各種動作モード（回転移動中、或いはディスク検索中等）や、交換口１００の開閉状態等を表示する。
【００５４】
交換口開閉制御モータドライバ１０９は、マイクロコンピュータ１０６から送信される制御信号に基づいて、交換口１００を開閉する為の交換口開閉制御モータ１１５を駆動する。
【００５５】
ロータリートレイ制御モータドライバ１１０は、マイクロコンピュータ１０６から送信される制御信号に基づいて、ロータリートレイ１０１を回転させる為のロータリートレイ制御モータ１０２を駆動する。
【００５６】
ディスクアーム制御モータドライバ１１１は、マイクロコンピュータ１０６から送信される制御信号に基づいて、ディスクアーム１０３を動作させる為のディスクアーム制御モータ（図示略）を駆動する。
【００５７】
ＤＳＰ（Digital Signal Processor）１１２は、ピックアップユニット１１３から出力されるコンテンツデータをマイクロコンピュータ１０６が処理可能なデータ形式に高速変換し、マイクロコンピュータ１０６に送信する。
【００５８】
ピックアップユニット１１３は、上記再生装置（図示略）にセットされたディスクに予め記録されたディスク関連データ、コンテンツデータ及び著作権データ等を読み出す。
【００５９】
ロード／アンロードＳＷ１１４は、上記図示しない再生装置に対しディスクが新規にセットされた場合に当該ディスクからディスク関連データ、著作権データ等を読み取るか、或いは、上記再生装置からディスクが開放（イジェクト）される際に、既に読み取られ、データ処理装置２０に送信されたディスク関連データ、著作権データ等をクリアする旨の指示をデータ処理装置２０に送信するか、の何れかを指示する信号をマイクロコンピュータ１０６に送信する。
【００６０】
次に、図５を参照してデータ処理装置２０について説明する。
データ処理装置２０は、マイクロコンピュータ２０ａ、Ｉ／Ｆ２０ｂ、通信部２０ｃ、ＨＤＤ２０ｄ、デコーダ２０ｅ、出力部２０ｆ、表示部２０ｇ、入力部１０ｈ等を備えて構成される。
【００６１】
マイクロコンピュータ２０ａは、図示しないＣＰＵやＲＯＭ、ＲＡＭを備え、当該ＲＯＭに格納されたプログラムを実行することによりデータ処理装置２０を統括的に制御する。当該ＲＯＭには、データ処理装置２０を制御して各種機能を実現するための主制御プログラムや各種アプリケーションプログラム等が格納され、当該ＲＡＭには、これら各種プログラムの実行ファイルやその実行に際して生じる各種データ等が一時的に格納される。
【００６２】
マイクロコンピュータ２０ａは、データ読取装置１０−１、１０−２、１０−３により読み取られた各ディスクのディスク関連データ及び著作権データをＨＤＤ２０ｄに格納する。この際、マイクロコンピュータ２０ａは、当該ディスク関連データ及び著作権データに基づき、データ読取装置１０−１、１０−２、１０−３に現在格納中の全ディスクのコンテンツリストを表示するためのコンテンツリストデータを作成してＨＤＤ２０ｄに格納する。このコンテンツリストデータは、データ読取装置１０−１、１０−２、１０−３に格納されている全ディスクの全コンテンツデータ毎のレコードによって成る。
【００６３】
各レコードには、コンテンツ番号、コンテンツ名（例えば、曲名や画像名。）、アーティスト名、当該コンテンツデータが記録されているディスク名、ディスク番号等のデータが記録されている。ここで、ディスク番号は、ユーザにより設定される、或いは、マイクロコンピュータ２０ａにより自動的に設定される。
【００６４】
コンテンツデータは、データ読取装置１０−１、１０−２、１０−３の何れかにディスクがセットされる、或いはイジェクトされる度にマイクロコンピュータ２０ａにより作成（更新）される。
【００６５】
マイクロコンピュータ２０ａは、入力された指示に応じて、上記コンテンツリストデータの内容を表示部２０ｇに表示する。更に、マイクロコンピュータ２０ａは、当該コンテンツリストデータの表示内容を、ディスク関連データの詳細内容（例えば、ディスクが格納されている機器の機器ＩＤや、ディスク名或いはコンテンツ名の頭文字等。）をキーにしてソートする機能を有する。また、入力されたコンテンツ名（或いは、その一部。）に合致するコンテンツデータが記録されたディスクをコンテンツリストデータに基づいて検索（文字検索）し、当該検索結果を表示する機能も有する。これにより、ユーザは、コンテンツリストデータの内容を自分好みにカスタマイズして表示可能となり、ディスク選択が容易化が図られる。
【００６６】
マイクロコンピュータ２０ａは、上記コンテンツリストデータに対し、現在コンテンツデータの読み取りが行われているデータ読取装置（データ読取装置１０−１、１０−２、１０−３の何れか。）に格納されている全ディスクの全コンテンツに係るレコードの所定個所に読み取り不可を示すフラグを各々立てる（例えば、読み取りが行える場合を“１”とし、読み取りが行えない場合を“０”とする等。）。
【００６７】
マイクロコンピュータ２０ａは、データ読取装置１０−１、１０−２、１０−３の機器ＩＤと、ロータリートレイ１０１上のスロット番号との組み合わせによって成るディスク管理データに基づいてディスクを選択する等のディスク操作を行う。このディスク管理データは、データ読取装置１０−１、１０−２、１０−３の何れかにディスクがセットされる、或いはイジェクトされる度にマイクロコンピュータ２０ａにより作成（更新）される。
【００６８】
上記ディスク管理データの内容は、ユーザがディスク操作を行う際に用いるディスク番号（コンテンツリストデータの各レコードに記録されているもの。）とは異なっていてもよい。この場合、ディスク管理データの内容とディスク番号との対応関係を示すＬＵＴ（Look Up Table）データがＨＤＤ２０ｄに格納され、マイクロコンピュータ２０ａは、ディスク操作の際に、このＬＵＴを参照してディスク操作を行う。
【００６９】
マイクロコンピュータ２０ａは、データ読取装置１０−１、１０−２、１０−３やネットワークから取得したコンテンツデータを、自機で再生（表示部２０ｇに表示させる、或いは、出力部２０ｆに放音させる等。）する場合には、当該コンテンツデータをデコーダ２０ｅにデコードさせ、自機で再生しない場合（すなわち、子機４０−１、４０−２で再生する場合）には、当該コンテンツデータをデコードせずに子機４０−１、４０−２に送信する。
【００７０】
Ｉ／Ｆ２０ｂは、接続線２を介してデータ読取装置１０−１、１０−２、１０−３との間でデータの送受信を行うためのインターフェース（例えば、ＲＳ−２３２ＣやＩＥＥＥ１３９４等のシリアルインターフェース等。）を備える。
【００７１】
通信部２０ｃは、接続線３を介して子機４０−１、４０−２との間でデータの送受信を行うためのインターフェースを備えると共に、インターネット等のネットワークを介してコンテンツ配信サーバ３０等の外部機器との間でデータの送受信を行うためのインターフェースを備える。
【００７２】
ＨＤＤ２０ｄは、読み出し／書き込み自在な大容量メモリであり、デコーダ２０ｅは、データ読取装置１０−１、１０−２、１０−３やネットワーク等から送信されるコンテンツデータを、当該コンテンツデータの各データ形式（例えば、ＭＰ３形式、ＭＩＤＩ（Musical Instrument Digital Interface）形式やＭＰＥＧ−２形式等。）に応じてデコードする。
【００７３】
出力部２０ｆは、音声出力スピーカ（或いは、複数のスピーカから成るスピーカシステム等。）を備え、マイクロコンピュータ２０ａから送信される各種音声データ（例えば、デコードされたコンテンツデータの内容等。）をアナログ信号に変換して上記スピーカから放音する。また、出力部２０ｆは、各種サラウンド設定（例えば、ドルビーデジタル（登録商標）や５．１チャンネル等。）に対応したものとなっている。
【００７４】
表示部２０ｇは、ＬＣＤ（Liquid Crystal Display）やプラズマディスプレイ等の映像表示装置を備え、マイクロコンピュータ２０ａから送信される各種表示データ（例えば、動画や静止画等、デコードされたコンテンツデータの内容等。）を当該映像表示装置に表示する。
【００７５】
入力部１０ｈは、データ処理装置２０、データ読取装置１０−１、１０−２、１０−３を各々制御するための各種指示を入力する入力キーや、指示内容等の選択時に用いるジョグダイアル等を備える。
【００７６】
次に、図６を参照して子機４０−１について説明する。なお、子機４０−２は、子機４０−１と同一の構成を有するため、以下、子機４０−２についての詳細な説明を省略する。
【００７７】
子機４０−１は、マイクロコンピュータ４０ａ、通信部４０ｂ、デコーダ４０ｃ、出力部４０ｄ、表示部４０ｅ、入力部４０ｆ等を備えて構成される。
【００７８】
マイクロコンピュータ４０ａは、図示しないＣＰＵやＲＯＭ、ＲＡＭを備え、当該ＲＯＭに格納されたプログラムを実行することにより子機４０−１を統括的に制御する。当該ＲＯＭには、子機４０−１を制御するための主制御プログラムや各種アプリケーションプログラム等が格納され、当該ＲＡＭには、これら各種プログラムの実行ファイルやその実行に際して生じる各種データ等が一時的に格納される。
【００７９】
マイクロコンピュータ４０ａは、コンテンツリストデータをデータ処理装置２０から受信すると、当該コンテンツリストデータの内容を表示部４０ｅに表示する。
【００８０】
通信部４０ｂは、接続線３を介してデータ処理装置２０との間でデータの送受信を行うためのインターフェース（例えば、ＬＡＮやＨＰＮＡ（Home Phoneline Network Alliance）等に応じたインターフェース。）を備える。
【００８１】
デコーダ４０ｃは、データ処理装置２０から送信されるコンテンツデータを、当該コンテンツデータの各データ形式に応じてデコードする。
【００８２】
出力部４０ｄは、音声出力スピーカ（或いは、複数のスピーカから成るスピーカシステム等。）を備え、マイクロコンピュータ４０ａから送信される各種音声データ（例えば、デコードされたコンテンツデータの内容等。）をアナログ信号に変換して上記スピーカから放音する。また、出力部４０ｄは、各種サラウンド設定（例えば、５．１チャンネル。）に対応したものとなっている。
【００８３】
表示部４０ｅは、ＬＣＤ等の映像表示装置を備え、マイクロコンピュータ４０ａから送信される各種表示データを表示する。例えば、図７に示すように、表示部４０ｅは、データ読取装置１０−１、１０−２、１０−３に格納中のディスク名や曲名等の情報を表示する。
【００８４】
入力部１０ｈは、データ処理装置２０、データ読取装置１０−１、１０−２、１０−３を各々制御するための各種指示を入力する入力キーや、指示内容等の選択時に用いるジョグダイアル等を備える。
【００８５】
なお、子機４０−１は、ＤＶＤ等のコンテンツデータの再生が行えるようにしてもよい。この場合、表示部４０ｅは、ＬＣＤの他に、プラズマディスプレイ等の映像表示装置を備え、マイクロコンピュータ２０ａから送信される各種表示データ（例えば、動画や静止画等、デコードされたコンテンツデータの内容等。）を当該映像表示装置に表示する。
【００８６】
次に、データ処理システム１の動作を説明する。
まず、図７を参照して、コンテンツデータの読取中にコンテンツデータの取得要求が新たに入力された場合の動作について説明する。
【００８７】
データ処理装置２０のマイクロコンピュータ２０ａは、データ読取装置１０−１、１０−２、１０−３のうち何れか一台からコンテンツデータの読み取りを行っている際に（ステップＳ１０）、同一のデータ読取装置に対して新たなコンテンツデータの取得要求が自機或いは子機４０−１、４０−２等から入力されると（ステップＳ１１）、当該取得要求されたコンテンツデータの配信要求と当該コンテンツデータの著作権データとを、コンテンツ配信サーバ３０に送信する（ステップＳ１２）。
【００８８】
すなわち、マイクロコンピュータ２０ａは、コンテンツ配信サーバ３０に著作権データを送信することにより、当該コンテンツデータが記録された正規のディスクがデータ読取装置１０−１、１０−２、１０−３に格納されている旨（すなわち、データ処理装置２０のオーナーが所持している旨）をコンテンツ配信サーバ３０に通知する。
【００８９】
ステップＳ１２の後、コンテンツ配信サーバ３０は、上記送信された著作権データを解析し、上記要求されたコンテンツデータが配信可能であると判定した場合には、当該コンテンツデータをデータ処理装置２０に配信する（ステップＳ１３）。
【００９０】
ステップＳ１３の後、マイクロコンピュータ２０ａは、上記コンテンツ配信サーバ３０から送信されたコンテンツデータを、上記コンテンツデータの取得要求元（子機４０−１、４０−２や自機（データ処理装置２０））に送信する（ステップＳ１４）。ここで、データ処理装置２０に送信された場合、コンテンツデータは、更に、データ処理装置２０の出力部２０ｆ（音声出力スピーカ。）や表示部２０ｇ（映像表示装置）、或いは、データ処理装置２０に接続された他の音声出力スピーカや映像表示装置に出力される。
これにより、ステップＳ１０においてデータ読取装置１０−１、１０−２、１０−３のうち何れか一台からコンテンツデータが現在読み取られている場合、同一のデータ読取装置に対してコンテンツ取得要求が指示されても、当該読取処理を中断することなく、ステップＳ１１において入力された新たなコンテンツデータの取得要求が、大きな遅延を伴わずに達成できる。
【００９１】
＜第２の実施の形態＞
次に、図面を参照して本発明を適用した第２の実施の形態について詳細に説明する。本第２の実施の形態では、上記第１の実施の形態のデータ処理システム１（図１〜図６を参照。）と同一システムを用いるものとする。従って、簡略化のため、以下ではデータ処理システム１についての図示及び説明を、同一符号を付す等して省略する。
ここで、請求項１〜８のうち何れかの請求項に記載のコンテンツ配信要求手段、コンテンツ出力手段、記録手段の各機能は、マイクロコンピュータ２０ａが有する機能に対応している。
【００９２】
以下、図８を参照して、データ読取装置１０−１、１０−２、１０−３に格納されたディスクのコンテンツデータをＨＤＤ２０ｄに格納する旨の指示が入力された場合の動作について説明する。
【００９３】
データ処理装置２０のマイクロコンピュータ２０ａは、例えば、データ読取装置１０−１、１０−２、１０−３に格納されたディスクのコンテンツデータをＨＤＤ２０ｄにコピーする旨の指示（ときには圧縮を伴う）が入力されると（ステップＳ２０）、当該コンテンツデータの配信要求と当該コンテンツデータの著作権データとを、コンテンツ配信サーバ３０に送信する（ステップＳ２１）。
【００９４】
すなわち、マイクロコンピュータ２０ａは、コンテンツ配信サーバ３０に著作権データを送信することにより、当該コンテンツデータが記録された正規のディスクがデータ読取装置１０−１、１０−２、１０−３に格納されている旨（すなわち、データ処理装置２０のオーナーが所持している旨）をコンテンツ配信サーバ３０に通知する。
【００９５】
ステップＳ２１の後、コンテンツ配信サーバ３０は、上記送信された著作権データを解析し、上記要求されたコンテンツデータが配信可能であると判定した場合には、当該コンテンツデータをデータ処理装置２０に配信する（ステップＳ２２）。
【００９６】
ステップＳ２２の後、マイクロコンピュータ２０ａは、コンテンツ配信サーバ３０から送信されたコンテンツデータをＨＤＤ２０ｄに格納する（ステップＳ２３）。格納されたコンテンツデータは、自機（データ処理装置２０）の出力部２０ｆ（音声出力スピーカ）や表示部２０ｇ（映像表示装置）、或いは、データ処理装置２０に接続された他の音声出力スピーカ及び／又はは映像表示装置に再生出力されても良いし、子機に送信されてもよい。
【００９７】
以上説明したように、上述した第１、第２の実施の形態では、データ処理システム１は、データ読取装置１０−１、１０−２、１０−３に格納されたディスクのコンテンツデータに係る著作権データをコンテンツ配信サーバ３０に送信することにより、当該コンテンツデータがコンテンツ配信サーバ３０から配信されＨＤＤ２０ｄに格納可能となる。
なお、コンテンツ配信サーバ３０から受信したコンテンツデータをＨＤＤ２０ｄに格納せず、子機４０−１、４０−２に直接送信するようにしてもよい。この際、必要に応じて所定量のバッファリングが行われる可能性がある。
【００９８】
従って、取得要求の入力に応じてコンテンツデータの記録や送信（或いは、再生）を行う場合、当該コンテンツデータがコンテンツ配信サーバ３０から配信可能となるので、記録媒体に記録されたコンテンツデータを再生するよりも遥かに早くコンテンツデータが取得できる。
【００９９】
すなわち、複数のデータ読取装置からコンテンツデータを読み取ってデータ処理を行うためのデータ処理システム、データ処理装置及びプログラムにおいて、入力されたコンテンツデータの取得要求に迅速且つ確実に応じることが可能となり、機能性、操作性の向上が図れる。
【０１００】
なお、上記した第１の実施の形態及び第２の実施の形態における記述は、本発明に係るデータ処理システム、データ処理装置及び制御方法の一例を示すものであり、これに限定されるものではない。本実施の形態におけるデータ処理システム１、データ処理装置２０の細部構成および詳細動作に関しては、本発明の趣旨を逸脱しない範囲で適宜変更可能である。
【０１０１】
例えば、データ読取装置１０−１、１０−２、１０−３に装填するディスクは、ＣＤ、ＤＶＤに加え、ＣＤ―Ｒ（CD-Recordable）やＣＤ―ＲＷ（CD-ReWritable）等に対しても適用可能である。
【０１０２】
また、データ読取装置は複数台である必要はないし、また、子機も必ずしも必要ではない。更に、ＨＤＤ２０ｄへのコンテンツデータの格納後は、当該データ処理装置２０での再生処理は勿論のこと、子機への送信に供してもよい。また、以下に示すＨＤＤ２０ｄへの記録に替えて、受信したコンテンツデータを子機に直接送信してもよい。
【０１０３】
また、データ読取装置１０−１、１０−２、１０−３は、何れもデータ処理装置２０に内蔵されるものであってもよい。
【０１０４】
また、上記した第１、第２の実施の形態において、ＨＤＤ２０ｄに格納された著作権データ及び／又はコンテンツデータは、当該コンテンツデータが記録された正規のディスクがデータ読取装置１０−１、１０−２、１０−３からイジェクトされた場合、データ読取装置１０−１、１０−２、１０−３の各交換口１００がオープンされた場合、或いは、データ読取装置１０−１、１０−２、１０−３やデータ処理装置２０の電源がオフ（パワーオフ）された場合（すなわち、正規のディスクが実際にイジェクトされた場合或いはイジェクト可能な場合）には、必要に応じてＨＤＤ２０ｄから消去されるようにしてもよい。
以下、図９に示すフローチャートを参照して、このような場合におけるデータ処理装置２０の動作について説明する。
【０１０５】
マイクロコンピュータ２０ａは、ＨＤＤ２０ｄに現在格納されているコンテンツデータが記録された正規のディスクがデータ読取装置１０−１、１０−２、１０−３からイジェクトされたか否か、或いは当該ディスクを格納するデータ読取装置１０−１、１０−２、１０−３の交換口１００がオープンされたか否かを判定する（ステップＳ３０）。
【０１０６】
ステップＳ３０の段階で、上記正規のディスクがデータ読取装置１０−１、１０−２、１０−３からイジェクトされた、或いは、当該ディスクを格納するデータ読取装置１０−１、１０−２、１０−３の交換口１００がオープンされた場合（ステップＳ３０；Ｙｅｓ）、マイクロコンピュータ２０ａは、当該著作権データ及び／又はコンテンツデータをＨＤＤ２０ｄから消去する（ステップＳ３２）。
【０１０７】
ステップＳ３０の段階で、上記正規のディスクがデータ読取装置１０−１、１０−２、１０−３からイジェクトされていない、或いは、当該ディスクを格納するデータ読取装置１０−１、１０−２、１０−３の交換口１００がオープンされていない場合には（ステップＳ３０；Ｎｏ）、更に、データ読取装置１０−１、１０−２、１０−３、或いは自機（データ処理装置２０）がパワーオフされたか否かを判定する（ステップＳ３１）。
【０１０８】
ステップＳ３１の段階で、自機がパワーオフされていない場合（ステップＳ３１；Ｎｏ）、マイクロコンピュータ２０ａは、ステップＳ３０の処理に戻り、自機がパワーオフされた場合（ステップＳ３１；Ｙｅｓ）、ステップＳ３２に移行して当該著作権データ及び／又はコンテンツデータをＨＤＤ２０ｄから消去する。
【０１０９】
これにより、記録媒体がデータ読取装置１０−１、１０−２、１０−３に格納されている場合にのみ、当該記録媒体に記録された各コンテンツデータの著作権データが利用できることとなるので、著作権が適切に保護される。
【図面の簡単な説明】
【０１１０】
【図１】本発明を適用したデータ処理システムの構成を示す図である。
【図２】本発明を適用したデータ読取装置が備える複数ディスクを収納する収納部の概略構成を示す図である。
【図３】（ａ）は、図２に示す第１〜第３センサが出力する信号ＰＨ１〜ＰＨ３のタイミングチャートであり、（ｂ）は、図２に示す第１、第２センサが出力する信号ＰＨ１、ＰＨ２と、ディスク有無検出センサが出力するディスク有無検出信号のタイミングチャートである。
【図４】本発明を適用したデータ読取装置の内部回路を示す図である。
【図５】本発明を適用したデータ処理装置の内部構成を示す図である。
【図６】図１に示す子機の内部構成を示す図である。
【図７】本発明を適用したデータ処理システムによる処理内容を説明する図である。
【図８】本発明を適用したデータ処理システムによる処理内容を説明する図である。
【図９】本発明を適用したデータ処理装置による処理内容を説明するフローチャートである。
【符号の説明】
【０１１１】
１  データ処理システム
１０  データ読取装置
１０−１〜１０−３  データ読取装置
２０  データ処理装置
２０ａ  マイクロコンピュータ
２０ｂ  Ｉ／Ｆ
２０ｃ  通信部
２０ｄ  ＨＤＤ
２０ｅ  デコーダ
２０ｆ  出力部
２０ｇ  表示部
２０ｈ  入力部
３０  コンテンツ配信サーバ
４０ａ  マイクロコンピュータ
４０ｂ  通信部
４０ｃ  デコーダ
４０ｄ  出力部
４０ｅ  表示部
４０ｆ  入力部
４０−１、４０−２  子機
１００  交換口
１０１  ロータリートレイ
１０２  ロータリートレイ制御モータ
１０３  ディスクアーム
１０４  センサ支持板
１０４ａ  第１センサ
１０４ｂ  第２センサ
１０４ｃ  第３センサ
１０４ｄ  ディスク有無検出センサ
１０５  基板
１０６  マイクロコンピュータ
１０７  入力部
１０８  表示部
１０９  交換口開閉制御モータドライバ
１１０  ロータリートレイ制御モータドライバ
１１１  ディスクアーム制御モータドライバ
１１２  ＤＳＰ
１１３  ピックアップユニット
１１４  ロード／アンロードＳＷ
１１５  交換口開閉制御モータ
【図１】
0004720080.tif 000002
【図２】
0004720080.tif 000003
【図３】
0004720080.tif 000004
【図４】
0004720080.tif 000005
【図５】
0004720080.tif 000006
【図６】
0004720080.tif 000007
【図７】
0004720080.tif 000008
【図８】
0004720080.tif 000009
【図９】
0004720080.tif 000010